(57)【要約】【課題】換気だけでなく消臭と防汚と防炎の機能を有する水フィルターを使った防災型の厨房レンジフードや換気だけでなく消臭や防炎の機能を有する水フィルターを使った工場用空気清浄機が望まれている。しかも、現状の技術では、これらの装置は装置だけでなく送風ダクトも含めて頻繁に清掃しなければならないという欠点がある。【解決手段】水フィルターにＰＨ１０．５以上に改質したアルカリ性イオン水を使用する。【選択図】図１
2009248076.tif 000002
【特許請求の範囲】
【請求項１】
アルカリ性イオン水を媒体に使うことを特徴とする水フィルター
【請求項２】
水酸化マグネシュームと酸化マグネシュームを主成分とするセラミックによってＰＨ１０．５以上に改質された水を媒体として使う請求項１の装置
【請求項３】
電気分解方式によってＰＨ１０．５以上に改質された水を媒体として使う請求項１の装置
【請求項４】
酸素還元反応によってＰＨ１０．５以上に改質された水を媒体として使う請求項１の装置
【請求項５】
水フィルターがバブリング型による請求項２又は請求項３又は請求項４の装置
【請求項６】
水フィルターが積層・水含浸型による請求項２又は請求項３又は請求項４の装置
【請求項７】
水フィルターがシャワー型による請求項２又は請求項３又は請求項４の装置
【請求項８】
水フィルターがバブリング型、積層・水含浸型、シャワー型の複合した機構による請求項２又は請求項３又は請求項４の装置
【発明の詳細な説明】
【発明の詳細な説明】
【技術分野】
【０００１】油分を含有した汚濁空気を清浄にするための水フィルターに使用する水の改質に関する。
【背景技術】
【０００２】水フィルターによる油分を含有した汚濁空気の清浄化の技術は、ほとんどが公知の技術である。
水フィルターには、大別して、バブリング型、積層・水含浸型、シャワー型等があり、使用目的によって、住み分けられている。【０００３】もっとも高価な技術としては、バブリング型がある。（特許文献１を参照）この技術は単に空気の清浄化を目的にしたものではなく、厨房ダクトなどの防炎機能も有した優れた技術である。
しかし、これら水フィルターの機構に関する技術は、研究が尽くされていて、新規な提案は殆ど見当たらない。【０００４】しかも、油分を含有した汚濁空気の清浄化を目的とする水フィルターに使用する水の性能や品質について研究された技術は見当たらない。
【特許文献１】特開平１−１５９０１５号公報
【発明が解決しようとする課題】
【０００５】換気だけでなく消臭と防汚と防炎の機能を有する水フィルターを使った防災型の厨房レンジフードや        換気だけでなく消臭や防炎の機能を有する水フィルターを使った工場用空気清浄機が望まれている。
【０００６】しかも、現状の技術では、これらの装置は装置だけでなく送風ダクトも含めて頻繁に清掃しなければならないという欠点がある。
【０００７】さらに、水フィルターの大型化には、物理的な限界があり、コストアップの要因になっていることも見逃せない。
【０００８】これらの社会的要請に答える経済性をも兼ね備えた水フィルターの技術がないのが現状である。
【課題を解決するための手段】
【０００９】本発明人は、このような現状に鑑み、どのようなタイプの水フィルターであっても、油煙等の汚れを洗浄する能力と油脂類の溶解性能が高い水、消臭能力の高い水を使うことによって課題が解決できることを見出した。
【００１０】そこで、アルカリ性イオン水に着目して実験を重ねた結果、ＰＨ１０．５以上のアルカリ性イオン水が有効であることを見出した。ここでいうアルカリ性イオン水というのは、水道水や工業用水を改質した水であって、アルカリ性の物質を加えただけのアルカリ性水とは異なる。
【００１１】ここでいうアルカリ性イオン水というのは、例えば、中性の水に苛性ソーダを加えてアルカリ性にしたアルカリ性水ではない。このようなアルカリ性水では目的を達成できないばかりか、原アルカリの金属イオンが弊害をもたらすからである。
【００１２】さらに、同じアルカリ性イオン水でも、改質の方法によって、若干の性能差があることを見出した。
【００１３】同じアルカリ性イオン水でも、溶存する金属イオンの種類と量によっても性能差があることを見出した。
【００１４】油煙等の汚れを洗浄する能力と油脂類の溶解性能が高い水、消臭能力の高い水、さらには、殺菌力をも有する水として、水道水や工業用水を改質してＰＨ１０．５以上のアルカリ性イオン水とし、水フィルターに使うことによって、水フィルターの各種性能を向上させることが出来る。
【発明を実施するための最良の形態】
【００１５】請求項１の実施形態は、水フィルターの種類がバブリング型であれ、積層・水含浸型であれ、シャワー型であれ、これらの複合型であれ、原料水（水道水又は地下水）をアルカリ性イオン水に改質して、媒体に使うことである。図１にアルカリイオン水を使った水フィルターのシステムの全体構造図を示す。【００１６】請求項２の水酸化マグネシュームＭｇＯＨと酸化マグネシュームＭｇ２Ｏを主成分とするセラミックによってＰＨ１０．５以上に原料水（水道水又は地下水）を改質する方法は、シリカを結合剤として、水酸化マグネシュームＭｇＯＨと酸化マグネシュームＭｇ２Ｏを合計重量比で４０％以上含有して、８００℃以上で焼成したセラミックボールを製造し、このセラミックボールに原料水を接触させて得る。【００１７】請求項３の電気分解方式によってＰＨ１０．５以上に改質する方法は、通常の広く普及している、電解アルカリ水の製法によって得る。この時に使用する金属酸化物の電気伝導性向上剤はマグネシューム又はカリュームの酸化物が望ましい。【００１８】請求項４の酸素還元反応によってＰＨ１０．５以上に改質する方法は、気液混合装置によって、酸素又はオゾンと原料水を気液混合して得る。
気液混合装置には、次のようなタイプのものがある。
１・トルネード型、２・気体溶解型、３・散水型、４・静止ミキサー型、５・ラインミキサー型  ６・キャビテーション型、７・ジェット噴流型
これらの気液混合装置で望ましいタイプは気体溶解型と静止ミキサー型である。【００１９】請求項５のバブリング型による水フィルターに、ＰＨ１０．５以上のアルカリ性イオン水を使うと、水フィルターの機構の良さとアルカリ性イオン水の働きが融合して特にフィルターとしての性能が向上する。【００２０】バブリング型による水フィルターというのは、汚濁空気を排気するダクトの手前において、汚濁空気を水中に通して（バブリング）浄化させるタイプである。【００２１】請求項６の積層・水含浸型による水フィルターに、ＰＨ１０．５以上のアルカリ性イオン水を使うと、アルカリ性イオン水の働きによって、フィルターとしての性能が向上する。【００２２】積層・水含浸型による水フィルターというのは、複数枚数の網目構造のフィルターを積層にして、水を含浸させたタイプである。【００２３】請求項７のシャワー型による水フィルターに、ＰＨ１０．５以上のアルカリ性イオン水を使うと、アルカリ性イオン水の働きによって、フィルターとしての性能が向上する。【００２４】シャワー型による水フィルターというのは、水のシャワー中を汚濁空気が通過することによって浄化させるタイプである。【００２５】請求項８のバブリング型、積層・水含浸型、シャワー型の複合した機構による水フィルターに、ＰＨ１０．５以上のアルカリ性イオン水を使うと、アルカリ性イオン水の働きによって、フィルターとしての性能が向上する。【００２６】複合した機構による水フィルターというのは、各タイプのそれぞれの良さを複合したタイプである。例えば、主たるバブリング型の水フィルターの前処理工程に、積層・水含浸型の水フィルターを設けて、主たるバブリング型の水フィルターの負荷を軽減すると同時に、両タイプの良さを複合したようなタイプのことである。
【発明の効果】
【００２７】アルカリイオン水を使うことで、使用水量を変更しなければ、水フィルターの性能を向上することができる。言い換えれば、水フィルターの性能を変更しなければ、使用水量を減ずることが出来る。
【００２８】アルカリイオン水を使うことで、水フィルター装置の汚れが低減する。ダクトの汚れも低減し、ブロワーの清掃頻度も少なくできる。
【００２９】アルカリイオン水を使うことで、水フィルターによる使用済み排水の処理負荷が低減できる。具体的には、使用済み排水を処理するグリストラップにかかる負荷が低減できる。
【００３０】ダクトの清掃を噴霧装置を使って自動化できる。
【００３１】アルカリイオン水のＰＨを１１．０以上にすれば、水フィルターに抗菌殺菌機能を付加することができる。
【発明を実施するための最良の形態】
【００３２】水フィルターにアルカリ性イオン水に改質した水を使用する。
【実施例１】図１にアルカリ性イオン水を使った水フィルターシステムの全体構造図を示す。システムにおいて、水改質装置を設けて、使用する水（水道水又は地下水）をアルカリ性イオン水に改質する装置を付加したものである。
【実施例２】図２にダクトの自動洗浄機能を付加した水フィルターシステムの全体構造図を示す。システムにおいて、水改質装置を設けて、使用する水（水道水又は地下水）をアルカリ性イオン水に改質する装置を付加し、さらに、噴霧装置による自動洗浄機能を付加したものである。
【図面の簡単な説明】
【図１】アルカリ性イオン水を使った水フィルターシステムの全体構造図
【図２】ダクト自動洗浄機能を有したアルカリ性イオン水を使った水フィルターシステムの全体構造図
【符号の説明】
１吸気口
２取水口
３水フィルター
４ポンプ
５アルカリイオン水改質装置
６ブロワー
７グリストラップ
８排気口
９排水口
１０噴霧装置ダクト自動洗浄
【図１】
2009248076.tif 000003
【図２】
2009248076.tif 000004